(57)【特許請求の範囲】
【請求項１】
昇降収納装置用であって、
少なくとも前方に開口した箱状であり、
底板と背板と二枚の側板とを夫々別体で備え、
前記底板と前記背板と前記側板とが脱着自在で組み立てられ、
前記底板の前端を覆う前面部材を、前記底板と別体で設け、
前記前面部材が、前方に凹んだ凹部を後部に有し、
前記底板が、前記凹部に脱着自在で嵌まり込む嵌合部を、前記前端に有するものである
ことを特徴とする収納体。
【請求項２】
前記側板が、前記背板に沿って突出した第１取付片を後端部に有し、前記底板に沿って突出した第２取付片を下端部に有し、
前記背板が、前記第１取付片を介して前記側板に脱着自在で取り付けられ、
前記底板が、前記第２取付片を介して前記側板に脱着自在で取り付けられ、
前記底板が、前記前端に前記嵌合部となる第１垂下片を有し、後端に第２垂下片を有し、
前記底板が、前記第２垂下片で前記背板に脱着自在で取り付けられるものである
ことを特徴とする請求項１に記載の収納体。
【請求項３】
請求項１又は２に記載の収納体と、前面に開口部を有し内部に前記収納体を収納する外箱と、前記外箱の側壁内面に回動自在で取り付けられ前記収納体を支持するリンク機構とを備え、
前記収納体が、前記リンク機構を介して前記外箱の前下方に引出し自在で前記外箱内に取り付けられ、
前記外箱が、夫々前記側壁となる二枚の壁部材と、下面部となる下部材と、上面部となる上部材と、後面部となる後部材とを夫々別体で備え、
前記壁部材と前記下部材と前記上部材と前記後部材とを脱着自在で組み立てて、前記外箱を箱状に形成してなるものである
ことを特徴とする昇降収納装置。
【発明の詳細な説明】
【技術分野】
【０００１】
本発明は、収納体及びそれを備えた昇降収納装置に関するものである。
【背景技術】
【０００２】
従来から昇降収納装置は、特許文献１や特許文献２に示すように、収納物を収納可能な収納体と、収納体を収納可能な外箱と、収納体の左右両側に各々配設したリンク機構とを備える。このような昇降収納装置では、収納体がリンク機構を介して外箱に取り付けてあり、収納体を外箱に収納した状態からリンク機構を介して外箱の前方下方に引き下ろし自在になっている。
【先行技術文献】
【特許文献】
【０００３】
【特許文献１】特開２００１−６１５６７号公報
【特許文献２】特開平１１−１１３６４９号公報
【発明の概要】
【発明が解決しようとする課題】
【０００４】
ところで、特許文献１の昇降収納装置では、収納体が、左右の側部となる二枚の側板と、底部及び背部となる側面視前後逆向きの略Ｌ字状の本体板とで、前方に開口した矩形の箱状に形成してある。また、特許文献２の昇降収納装置では、収納物の落下防止用の架け渡し部材が底部の前端側の底部より上方に設けてある。そして、底部の前端には、上方に立ち上がる立上り部を有しており、この立上り部は架け渡し部材より下方側で収納物の落下を防止している。そのため、特許文献１の昇降収納装置では、本体板が側面視Ｊ字状になっている。
【０００５】
このように、従来の昇降収納装置では、本体板が、底部と背部とを一体で形成した前記Ｌ字状や前記Ｊ字状になっている。そのため、従来の昇降装置では、施工現場等で収納体を組み立てる場合等で、収納体を解体した状態で施工現場等に持ち込む際に、前記本体板を収納可能なサイズの梱包箱が必要となり、搬送時等に収納体用の梱包箱が嵩張り易く、搬送効率があまり高くない。
【０００６】
そこで、本発明は、前記従来の問題点に鑑みて発明したものであり、その目的とするところは、例えば収納体の梱包箱を小型にする等で、搬送効率を向上し易くした収納体及びこの収納体を備えた昇降収納装置を提供することにある。
【課題を解決するための手段】
【０００７】
上記課題を解決するために、本発明の収納体は、昇降収納装置用であって、少なくとも前方に開口した箱状であり、底板と背板と二枚の側板とを夫々別体で備え、前記底板と前記背板と前記側板とが脱着自在で組み立てられ、前記底板の前端を覆う前面部材を、前記底板と別体で設け、前記前面部材が、前方に凹んだ凹部を後部に有し、前記底板が、前記凹部に脱着自在で嵌まり込む嵌合部を、前記前端に有するものであることを特徴とする。
【０００８】
この収納体として、前記側板が、前記背板に沿って突出した第１取付片を後端部に有し、前記底板に沿って突出した第２取付片を下端部に有し、前記背板が、前記第１取付片を介して前記側板に脱着自在で取り付けられ、前記底板が、前記第２取付片を介して前記側板に脱着自在で取り付けられ、前記底板が、前記前端に前記嵌合部となる第１垂下片を有し、後端に第２垂下片を有し、前記底板が、前記第２垂下片で前記背板に脱着自在で取り付けられるものであることが好ましい。
【０００９】
また、本発明の昇降収納装置は、前述の収納体と、前面に開口部を有し内部に前記収納体を収納する外箱と、前記外箱の側壁内面に回動自在で取り付けられ前記収納体を支持するリンク機構とを備え、前記収納体が、前記リンク機構を介して前記外箱の前下方に引出し自在で前記外箱内に取り付けられ、前記外箱が、夫々前記側壁となる二枚の壁部材と、下面部となる下部材と、上面部となる上部材と、後面部となる後部材とを夫々別体で備え、前記壁部材と前記下部材と前記上部材と前記後部材とを脱着自在で組み立てて、前記外箱を箱状に形成してなるものであることを特徴とする。
【発明の効果】
【００１０】
本発明は、前記構成を備えたことで、収納体の本体板に相当する底板及び背板を互いに分離した状態で梱包等を行うことができる。これによって、本発明は、例えば収納体の梱包箱を小型にする等でコンパクトな状態にして搬送することができて、搬送効率を向上し易くすることができる。
【図面の簡単な説明】
【００１１】
【図１】実施形態の一例の収納体の側断面図である。
【図２】同上の収納体の斜視図である。
【図３】同上の収納体を備えた昇降収納装置を模式的に説明する側断面図である。
【発明を実施するための形態】
【００１２】
本発明を、添付図面に示す実施形態の一例に基づいて説明する。
本例の昇降収納装置４は、図３に示すように、前面が開口した外箱２と、箱状で内部に収納物（不図示）を収納可能な収納体１と、外箱２に回動自在で収納体１を左右から支持する二つのリンク機構３とを備える。
【００１３】
外箱２は、前面の開口した矩形の箱状になっており、例えば壁の上部や天井の下面等の部屋の高所（不図示）に取り付けられる。そして、外箱２は、上面部を形成する上部材２１と、下面部を形成する下部材２２と、側壁を形成する二枚の壁部材２３と、後面部を形成する後部材２４とで箱状に形成してある。下部材２２と上部材２１とは夫々矩形の板状で、略同形同寸になっている。二枚の壁部材２３は、夫々矩形の板状で、略同形同寸になっている。後部材２４は矩形の板状になっており、壁部材２３と下部材２２と上部材２１とで囲まれた矩形筒状の後面（外箱２の後面）を閉塞する。
【００１４】
更に、外箱２は、上部材２１と下部材２２と壁部材２３と後部材２４とに分解（解体）した状態（組み立てられていない状態を含む）にすることができる。この箱状に形成していない状態では、上部材２１と下部材２２と壁部材２３と後部材２４とを、例えば板面を重ねて梱包することができる。そして、外箱２は、この梱包した状態で施工現場等に持ち込み、施工現場等で容易に箱状に組み立てることができる。
【００１５】
また、外箱２は、箱の開口した前面が扉２５で閉塞してある。扉２５は、側壁（壁部材２３）の前端に、蝶番（不図示）等を介して開閉自在に取り付けてある。扉２５は、前記上部材２１等と共に重ねて梱包等して施工現場等に持ち込み、施工現場等で前記側壁に取り付けることができる。更に、外箱２は、左右の両側壁の内面下部に夫々、リンク機構３が取り付けてある。以下の説明では、特に姿勢を規定しない限り、前後や上下の表記は、外箱２内に収納体１を収納した姿勢を基準とする。
【００１６】
二つのリンク機構３は、互いに左右対称の構造になっている。そして、各リンク機構３は、前後に並ぶ二つの回動アーム３１と、両回動アーム３１を回転自在に軸支する軸支ブロック体（不図示）とを備える。以下の説明では、前後の回動アーム３１を区別する場合、前方側の回動アーム３１を前アーム３２、後方側の回動アーム３１を後アーム３３と記載する。
【００１７】
前アーム３２は、側面視前略Ｓ字状になっている。そして、前アーム３２は、下端部を上端部より前方に位置して後方に傾けた姿勢で、外箱２内に配置してある。更に、前アーム３２は、下端部が軸支ブロック体に回動自在で枢支してあり、上端部が収納体１の上端部に回動自在で枢支してある。
【００１８】
後アーム３３は、側面視略Ｌ字状になっている。そして、後アーム３３は、下端部を上端部より前方に位置してＬ字の角を後方に向けた姿勢で、外箱２内に配置してある。言い換えると、後アーム３３は、側面視前後逆向きの略Ｌ字状で取り付けてある。更に、後アーム３３は、下端部が軸支ブロック体に回動自在で枢支してあり、上端部が収納体１の上端部に回動自在で枢支してある。後アーム３３は下端部が、前アーム３２の下端部より上方に位置して軸支ブロック体に取り付けてある。後アーム３３は上端部が、前アーム３２の上端部より上方に位置して収納体１に取り付けてある。
【００１９】
また、各リンク機構３の左右に並ぶ回動アーム３１（本例では例えば前アーム３２）の左右の間には、連結部材（不図示）が設けてある。連結部材はこの左右に並ぶ回動アーム３１を左右方向において連結する。これによって、左右のリンク機構３は、左右に並ぶ回動アーム３１の回動が連動する。言い換えると、左右に並ぶ回動アーム３１は、連結部材を介して略同体で回動する。
【００２０】
軸支ブロック体は、外箱２の前記側壁の内面下部に固定してある。そのため、回動アーム３１は、下端部で軸支ブロック体に対して回動することで、回動アーム３１の上端部側を外箱２の前方に引き出すことができる。そして、回動アーム３１は、略Ｓ字状や前後逆向きの略Ｌ字状としたことで、この回動時に回動アーム３１の上端部を外箱２の下面より下方に位置させることができる。
【００２１】
言い換えると、回動アーム３１は、下端部が軸支ブロック体に対して回動することで、上端部側を外箱２の前下方に引き下ろすことができる。これによって、昇降収納装置４は、収納体１を外箱２から前下方に引き下ろすことができる。更に、回動アーム３１は、収納体１を外箱２に収納した状態で、上端部が下端部より後方に位置する。言い換えると、回動アーム３１は、収納体１を外箱２に収納した状態で、外箱２の後面部（後部材２４）側に傾いた後倒姿勢になる。
【００２２】
収納体１は、図１や図２に示すように、矩形の箱状になっており、前方及び上方に開口する。そして、収納体１は、背板１１と、底板１２と、二枚の側板１４と、底板１２の前端を覆う前面部材１５と、昇降操作用のハンドル１７と、収納体１に収納した収納物の落下を防止する柵部材（不図示）とを備える。
【００２３】
二枚の側板１４は、矩形で略平らな板状になっており、例えば、樹脂で形成してある。そして、二枚の側板１４は、一方の板面（箱の内面）が互いに左右において対向した状態で配置してある。また、二枚の側板１４は、上端部の他方の板面（箱の外面）に、回動アーム３１の上端部が取り付けてある。
【００２４】
ハンドル１７は、左右に長尺な棒状になっており、例えば、金属製等のパイプ部材で形成してある。そして、ハンドル１７は、対向する二枚の側板１４の左右の間に亘って設けてあり、長手方向の端部が夫々、各側板１４の前端下部から下方に突出して設けた凸部１４ｃに、脱着自在で取り付けてある。更に、ハンドル１７は、使用者が棒の周面を把持して収納体１の引き下ろしや押し上げ等の操作を行うための操作部になっている。言い換えると、収納体１は、ハンドル１７を介して外箱２からの取出しや外箱２への収納が行われる。
【００２５】
柵部材は、左右に長尺で略平らな網状になっており、例えば、金属製等の網部材で形成してある。そして、柵部材は、底板１２より上方で且つ側板１４の前端に脱着自在で取り付けてあり、対向する側板１４の左右の間に亘って設けてある。そのため、柵部材は、収納体１の引き下ろし時や押し上げ時等に、収納体１からの収納物の落下を抑制する。
【００２６】
背板１１は、矩形で略平らな板状になっており、例えば、前面に化粧面を有した鋼板で形成してある。そして、背板１１は左右の両側端部が、側板１４に設けた第１取付片１４ａに当接してあり、この当接によって側板１４に位置決めされる。
【００２７】
第１取付片１４ａは、側板１４の後端部の背板１１側を向く板面（箱内面）に、突出して設けてあり、背板１１の上下の略全体に亘る寸法で形成してある。そして、側板１４は、第１取付片１４ａの前面に背板１１の側端部の背面を当接した状態で、第１取付片１４ａ及び背板１１にねじやボルトやボルトナット等の固着具（不図示）を挿通して背板１１に取り付けてある。これによって、背板１１は、この固着具を介して第１取付片１４ａに固着されている。更に、前記固着具は、ドライバーやレンチ等の工具を用いて施工現場等で容易に脱着自在になっている。そのため、背板１１は、前記固着具を抜き出すことで、容易に側板１４から取り外すことができる。言い換えると、収納体１は、前記固着具を背板１１等から取り外すことで、背板１１と側板１４とを分離させることができる。
【００２８】
底板１２は、矩形で略平らな板状になっている。そして、底板１２は、前後の両端部を各々下方に折り曲げる等で、この両端部に、下方に突出した垂下片１３（詳細は後述する）を有する。そのため、底板１２は、本体である板状部１２ａと、板状部１２ａの両端部に各々設けた垂下片１３とで構成してある。そして、底板１２は、例えば、板状部１２ａの両板面に化粧面を有したチャンネル型（溝型）の鋼板で形成してある。更に、底板１２は左右の両側端部が、側板１４に設けた第２取付片１４ｂに当接してあり、この当接によって側板１４に位置決めされる。
【００２９】
第２取付片１４ｂは、側板１４の下端部の底板１２側を向く板面（箱内面）に、突出して設けてあり、板状部１２ａの前後の略全体に亘る寸法で形成してある。そして、側板１４は、第２取付片１４ｂの上面に板状部１２ａの側端部の下面を当接した状態で、第２取付片１４ｂ及び底板１２（板状部１２ａ）にねじやボルトやボルトナット等の固着具（不図示）を挿通して板状部１２ａに取り付けてある。これによって、底板１２は、この固着具を介して第２取付片１４ｂに固着されている。更に、前記固着具は、ドライバーやレンチ等の工具を用いて施工現場等で容易に脱着自在になっている。そのため、底板１２は、前記固着具を抜き出すことで、容易に側板１４から取り外すことができる。言い換えると、収納体１は、前記固着具を底板１２等から取り外すことで、底板１２と側板１４とを分離させることができる。
【００３０】
前後の垂下片１３は、略同寸同形になっており、板状部１２ａに一体で設けてある。そして、この垂下片１３は各々、板状部１２ａの端部（前端部或いは後端部）の左右の寸法の略全体に亘って形成してある。以下、前後の垂下片１３を区別する場合、板状部１２ａの前端部から下方に突出する垂下片１３を、第１垂下片１３ａとし、板状部１２ａの後端部から下方に突出する垂下片１３を、第２垂下片１３ｂとする。
【００３１】
第２垂下片１３ｂは後面が、背板１１の下端部前面に当接される。そして、第２垂下片１３ｂは左右に所定の間隔を空けて、複数の貫通孔（不図示）が設けてある。この貫通孔は、第２垂下片１３ｂを背板１１に当接して互いの下端を略面一に並べることで、背板１１の下端部に設けた同数の貫通孔（不図示）に、連通する。更に、この連通した貫通孔には、ねじやボルトやボルトナット等の固着具１８を挿通して第２垂下片１３ｂが背板１１に取り付けてある。これによって、底板１２は背板１１に固着されている。
【００３２】
更に、固着具１８は、ドライバーやレンチ等の工具を用いて施工現場等で容易に脱着自在になっている。そのため、第２垂下片１３ｂ（底板１２）は、固着具１８を抜き出すことで、容易に背板１１から取り外すことができる。言い換えると、収納体１は、固着具１８を第２垂下片１３ｂ等から取り外すことで、第２垂下片１３ｂと背板１１とを分離させることができる。
【００３３】
前面部材１５は、左右に長尺な筒状で、側断面が中空矩形状になっており、長手方向（左右）の寸法が底板１２の左右の寸法と略同寸になっている。そして、前面部材１５は上部側が固着具（不図示）を介して側板１４に脱着自在で固着してある。更に、前面部材１５はハンドル１７より上方に位置しており、前面部材１５とハンドル１７との上下の間には、使用者がハンドル１７を把持する手を挿通可能な隙間が設けてある。
【００３４】
また、前面部材１５は、前方に向けて凹んだ凹部１６を後部の下方に有する。凹部１６は、後方に開口して左右の略全長に亘って形成してある。そして、凹部１６には、第１垂下片１３ａ及び板状部１２ａの前端側が配置される。更に、凹部１６は下側内面に第１垂下片１３ａの下端部が当接してある。
【００３５】
そのため、前面部材１５は、第１垂下片１３ａを含む底板１２の前端が凹部１６に脱着自在で嵌め込まれている。言い換えると、第１垂下片１３ａは、凹部１６に脱着自在で嵌まり込む嵌合部１２ｂになっている。これによって、前面部材１５は、底板１２の前記前端を覆うと共に、底板１２を前記前端側で側板１４に支持する。
【００３６】
更に、前面部材１５は、上部が底板１２より上方に突出して位置する。そして、前面部材１５は、この上部の上方への突出量が、垂下片１３の上下の寸法に比べて大寸になっている。そのため、前面部材１５は、例えば底板１２上に載置した収納物の底板１２前端側からの滑り落ち等の、柵部材より下方側での収納物の落下等を抑制している。なお、前面部材１５は、背板１１及び底板１２に比べて加工し易い部材で形成してあり、例えばアルミニウム或いはその合金が好適に用いられる。この場合、前面部材１５は、上端の前後の端部等をアール形状等のエッジの無い滑らかな形状にし易くすることができる。
【００３７】
このように、収納体１は、従来の構成における本体板に相当する底板１２と背板１１と前面部材１５とを分離した状態にすることができ、且つ底板１２と背板１１と前面部材１５とを側板１４から分離した状態にすることができる。そのため、収納体１は、例えば底板１２や背板１１等の構成部材を板面が重なる向きに（板面を平行にして）積み重ねた状態で梱包等を行うことができて、例えば梱包箱を従来に比べて小型にできる等のコンパクトに纏めた状態にすることができる。これによって、収納体１は、このコンパクトな状態で搬送等をすることができて、搬送効率を向上し易くすることができる。
【００３８】
そして、収納体１は、底板１２と背板１１とを分離可能としたことで、例えば底板１２に板状の網部材を用いて背板１１に平板部材を用いる等の底板１２と背板１１とに異なる部材を用いることができる。このように、収納体１は、底板１２と背板１１とに、化粧面の柄等の意匠性が異なるものや、構成部材や板厚や強度等が異なるもの等を用いることができる。これによって、収納体１は、意匠性や利便性等を向上し易くすることができる。
【００３９】
更に、収納体１は、第１垂下片１３ａを含む底板１２の前端を、底板１２に比べて加工し易い部材で形成した前面部材１５で覆ったことで、この前端を外観に露出し難くすることができる。そのため、昇降収納装置４は、収納体１の引き下ろし時や押し上げ時等に、ハンドル１７の代わり等で、底板１２の前端側を使用者が把持した際に、前面部材１５を把持させることができる。これによって、昇降収納装置４は、底板１２に比べて端部（矩形の角）等を滑らかな形状にし易い前面部材１５を把持させることができて、安全性を向上し易くしたり、不快感を与え難くしたりすることができる。
【００４０】
そして、収納体１は、底板１２の前後（前端及び後端）に垂下片１３を設けたことで、底板１２の前端及び後端を垂下片１３で補強することができる。言い換えると、収納体１は、底板１２の前端及び後端に、垂下片１３によるリブ効果をえ易くすることができる。これによって、収納体１は、底板１２の強度を向上し易くすることができる。
【００４１】
更に、収納体１は、底板１２、背板１１、側板１４、前面部材１５を脱着自在（分離可能）としたことで、例えば組立後にリフォーム等で部屋の高所や外箱２等から取り外す際等に、容易に解体することができる。そのため、収納体１は、取り外した際等に、コンパクトに纏めた状態等で保管等をすることができる。そして、解体後の収納体１は、再度組み立てることで、容易に箱状に戻して、外箱２等に取り付けることができる。また、収納体１は、例えばリフォーム等で外箱２の左右の寸法を変更した場合等に、底板１２、背板１１、前面部材１５等をリフォーム前と左右の寸法が異なるものに変更する等で、収納体１の容積を容易に変更することができる。
【００４２】
更に、収納体１は、側板１４や前面部材１５に比べて強度の高い鋼板等の高強度部材で底板１２及び背板１１を形成したことで、収納した収納物の重量等の荷重に対する強度を確保し易くすることができる。そして、収納体１は、前面部材１５が底板１２に比べて加工し易いため、前面部材１５によって、収納体１の底板１２の前端側の意匠性を向上し易くすることができる。
【００４３】
更に、収納体１は、側板１４に第１取付片１４ａ及び第２取付片１４ｂを設けたことで、底板１２及び背板１１を面で受けた状態で側板１４に取り付けることができて、底板１２及び背板１１の側板１４への取付強度を向上し易くすることができる。そして、収納体１は、底板１２に第２垂下片１３ｂを設けたことで、底板１２を面で受けた状態で背板１１に取り付けることができて、底板１２の背板１１への取付強度を向上し易くすることができる。これらによって、収納体１は、収納物等に対する強度を確保し易くすることができる。
【００４４】
また、昇降収納装置４は、外箱２を上部材２１、下部材２２、壁部材２３、後部材２４に分離した状態にすることができる。そのため、昇降収納装置４は、例えば上部材２１や壁部材２３等を板面が重なる向きに（板面を平行にして）積み重ねた状態で梱包等を行うことができて、例えば外箱２の梱包箱を小型にできる等のコンパクトに纏めた状態にすることができる。これによって、昇降収納装置４は、このコンパクトに纏めた状態で外箱２を搬送等をすることができて、収納体１に加えて外箱２も搬送効率を向上し易くすることができる。
【００４５】
更に、昇降収納装置４は、前記略Ｓ字状や前記略Ｌ字状等の回動アーム３１を後倒姿勢で外箱２内に配置したことで、回動アーム３１の回動時に、底板１２の後端側等を外箱２の下面部（下部材２２）前端側に干渉難く（接触し難く）することができる。そのため、昇降収納装置４は、前記下面部との干渉を避けるために底板１２後方を上向き傾斜した傾斜面とした場合等に比べて、収納体１の容積を大きくしたり、板状部１２ａの板面の面積を広くしたりし易くすることができる。
【００４６】
なお、本発明は、前述の実施形態の構成のみに限定されるものではなく、本発明の意図する範囲内であれば、適宜の設計変更を行うことが可能である。例えば、リンク機構３は、収納体１の引き下ろしや押し上げ等の動作速度を制動するダンパをさらに備えたものであってもよい。この場合、昇降収納装置４は、収納体１を引き下ろす際の速度を、ダンパによって略一定にする等で、収納体１の引き下ろしや押し上げ等を行い易くすることができる。また例えば、収納体１は、箱内に棚板等の棚部材を備え、収納物を収納する収納空間を上下に二分割したもの等であってもよい。この場合、棚部材は、収納体１の分解（解体）時に、側板１４や背板１１等から分離自在や折り畳み自在等で側板１４や背板１１の板面に重ねた状態等で梱包可能になっている。
【００４７】
また例えば、収納体１は、既設の棚等の側壁内面に取り付けられる支持部材を備えて、リンク部材が支持部材を介して前記側壁に取り付けられる昇降収納装置４に用いてもよい。この場合、昇降収納装置４は、支持部材を取り付けた既設の棚等が外箱２として用いられる。また例えば、昇降収納装置４は、外箱２の上面部、下面部、側壁、後面部のうちのいずれか一部を分解自在としたものや、分解自在でないもの等であってもよい。また例えば、外箱２は、前記コンパクトに纏めた収納体１を収納可能な収納体１用の梱包箱として機能可能なものや、収納体１を梱包した梱包箱を収納可能なもの等であってもよい。
【符号の説明】
【００４８】
１  収納体
１１  背板
１２  底板
１２ｂ  嵌合部
１３  垂下片
１３ａ  第１垂下片
１３ｂ  第２垂下片
１４  側板
１４ａ  第１取付片
１４ｂ  第２取付片
１５  前面部材
１６  凹部
２  外箱
２１  上部材
２２  下部材
２３  壁部材
２４  後部材
３  リンク機構
４  昇降収納装置
【図１】
0006032592.tif 000002
【図２】
0006032592.tif 000003
【図３】
0006032592.tif 000004